(57)【要約】【課題】本発明は、複数のシールドケースの板厚に対応することのできるシールドケース固定具を提供することにある。【解決手段】シールドケース(20)は、上方よりそれぞれのシールクリップ(10)の内側押部の端部(11c)と外側押部の接触部(12b)との間に有する所定距離の間隙(13a)にシールドケース(20)の側壁(22)が挿入される。シールドケース(20)は、シールドクリップ(10)の内側押部の変形部(11a)が変形し接触部(11b)によって側壁(22)の内面(22a)を押さえつけ、更に外側押部の変形部(12a)が変形し接触部(12b)によって側壁(22)の外面(22b)を押さえつけることによりシールドクリップに保持され、基板(30)上に固定される。【選択図】図６
2012104741.tif 000002
【特許請求の範囲】
【請求項１】
上面視で矩形形状にして周縁が屈曲して側壁をなすシールドケースを基板上に固定するシールドケース固定具において、
前記シールドケースの側壁を内側より押さえる内側押手段と、
前記シールドケースの側壁を外側より押さえる外側押手段とを有し、
前記内側押手段は該シールドケースの矩形形状の一辺側の側壁を押さえることが可能なように、前記外側押手段は該一辺側の側壁と矩形形状の角を挟んで隣り合う他辺側の側壁を押さえることが可能なように一体に形成されてなり、
前記内側押手段が前記シールドケースの一辺側の側壁の内側となり、前記外側押手段が該シールドケースの他辺側の側壁の外側となるように、前記基板上の前記シールドケースの一の角と該一の角に対角の他の角とにそれぞれ対応する位置に固定されることを特徴とするシールドケース固定具。
【請求項２】
前記内側押手段と前記外側押手段は、
前記シールドケースの取付時に前記シールドケースの側壁と接触する接触部と、
前記シールドケースの取付時に前記接触部が該シールドケースの側壁を押さえつけるように変形する変形部とをそれぞれ有し、
それぞれ前記変形部が変形し前記接触部で前記シールドケースの側壁を押さえつけることにより該シールドケースを保持することを特徴とする、請求項１に記載のシールドケース固定具。
【発明の詳細な説明】
【技術分野】
【０００１】
本発明は、基板上に実装された電子部品を覆うシールドケースを基板に実装させるための固定具に関する。
【背景技術】
【０００２】
従来、基板上に実装された電子部品を覆うようにして金属製のシールドケースを基板上に実装させ電磁波の遮断を行うようにしている。シールドケースの基板への実装手法として、例えば蓋と下方へ折り曲げた側壁を有する矩形の箱状のシールドケースのそれぞれの側壁に合うように予め半田等で基板に複数のシールドケース固定具を固定しておき、当該シールドケース固定具に設けられた一対の指部の間に形成された間隙に上記側壁を挿入することでシールドケースを固定するシールドケース固定具が知られている（特許文献１、２及び３）。
【０００３】
しかしながら、上記特許文献１，２及び３では、複数のシールドケース固定具に設けられた一対の指部の間に形成された間隙にシールドケースの側壁を挿入してシールドケースを固定するようにしており、シールドケースを確実に固定するには少なくとも４個以上のシールドケース固定具が必要となり、シールドケース固定具の員数が増加しコストアップとなる問題がある。
【０００４】
そこで、シールドケースの対角の二つの角をそれぞれのシールドケース固定具で固定することにより、シールドケース固定具の員数を低減し、コストアップを抑制することができるシールドケース固定具が開発されている（特許文献４）。
【先行技術文献】
【特許文献】
【０００５】
【特許文献１】特開２０００−１９６２８０号公報
【特許文献２】特開２００７−３２４４６９号公報
【特許文献３】意匠登録第１１５１０４４号公報
【特許文献４】意匠登録第１１５１０４２号公報
【発明の概要】
【発明が解決しようとする課題】
【０００６】
上記特許文献４では特許文献１、２及び３と同様にシールドケース固定具の一対の指部の間隙にシールドケースの側壁を挿入して、シールドケースを固定するようにしている。
しかしながら、シールドケース固定具の一対の指部の間隙にシールドケースの側壁を挿入してシールドケースの固定を行う場合、シールドケースの板厚により間隙の幅を変更する必要がある。即ち、シールドケースの板厚に対応した間隙を有するシールドケース固定具をシールドケースの板厚に合わせて製作しておく必要があり、シールドケース固定具のバリエーションが増加し好ましいことではない。
【０００７】
本発明は、この様な問題を解決するためになされたもので、その目的とするところは、複数のシールドケースの板厚に対応することのできるシールドケース固定具を提供することにある。
【課題を解決するための手段】
【０００８】
上記の目的を達成するために、請求項１のシールドケース固定具は、上面視で矩形形状にして周縁が屈曲して側壁をなすシールドケースを基板上に固定するシールドケース固定具において、前記シールドケースの側壁を内側より押さえる内側押手段と、前記シールドケースの側壁を外側より押さえる外側押手段とを有し、前記内側押手段は該シールドケースの矩形形状の一辺側の側壁を押さえることが可能なように、前記外側押手段は該一辺側の側壁と矩形形状の角を挟んで隣り合う他辺側の側壁を押さえることが可能なように一体に形成されてなり、前記内側押手段が前記シールドケースの一辺側の側壁の内側となり、前記外側押手段が該シールドケースの他辺側の側壁の外側となるように、前記基板上の前記シールドケースの一の角と該一の角に対角の他の角とにそれぞれ対応する位置に固定されることを特徴とする。
【０００９】
また、請求項２のシールドケース固定具では、請求項１において、前記内側押手段と前記外側押手段は、前記シールドケースの取付時に前記シールドケースの側壁と接触する接触部と、前記シールドケースの取付時に前記接触部が該シールドケースの側壁を押さえつけるように変形する変形部とをそれぞれ有し、それぞれ前記変形部が変形し前記接触部で前記シールドケースの側壁を押さえつけることにより該シールドケースを保持することを特徴とする。
【発明の効果】
【００１０】
請求項１の発明によれば、シールドケースの側壁を内側より押さえる内側押手段とシールドケースの側壁を外側より押さえる外側押手段とを有し、内側押手段がシールドケースの側壁の内側に、外側押手段がシールドケースの側壁の外側となるように、シールドケース固定具をシールドケースの一の角と一の角の対角の他の角とにそれぞれ対応する基板上の位置に固定するようにしている。
【００１１】
従って、シールドケース固定具の基板への固定位置を変更することで、同一形状の一種類のシールドケース固定具によって、バリエーションを増加させることなく、複数の板厚のシールドケースを保持し、基板上に固定することができる。
また、請求項２によれば、内側押手段と外側押手段とは、それぞれ変形部が変形することにより接触部でシールドケースの側壁を押さえつけてシールドケースを保持するようにしているので、複数の板厚のシールドケースを確実にシールドケース固定具に保持することができる。
【図面の簡単な説明】
【００１２】
【図１】本発明の実施形態に係るシールドクリップの斜視図である。
【図２】本発明の実施形態に係るシールドクリップの上面図である。
【図３】本発明に係る矢視Ａを示す図である。
【図４】本発明に係る矢視Ｂを示す図である。
【図５】本発明の実施形態に係るシールドクリップの基板への取付状態を示す概略図である。
【図６】本発明の実施形態に係るシールドクリップの使用例を示す図である。
【図７】本発明に係る断面Ｃ−Ｃを示す図である。
【図８】本発明に係る断面Ｄ−Ｄを示す図である。
【発明を実施するための形態】
【００１３】
以下、本発明の実施の形態を図面に基づき説明する。
図１は、本発明の実施形態に係るシールドクリップの斜視図である。また、図２は、シールドクリップの上面図である。また、図３及び図４は、図２中に記載された矢視Ａ及びＢを示す図である。図５は、シールドクリップの基板への取付状態を示す概略図である。なお、各々の図中の二点鎖線はシールドケースを、図５中ハッチング部はシールドケースが装着された場合の位置を示す。
【００１４】
シールドクリップ１０は、金属の薄板を打ち抜き加工及び屈曲されることで製造されるものである。
シールドケース２０は、金属の薄板の周縁を屈曲させて側壁２２を形成してなり、上面視で矩形形状をなして下方が開放した箱状の構造物である。
以下、シールドクリップ（シールドケース固定具）１０の構成を詳しく説明する。
【００１５】
図１〜４に示すように、シールドクリップ１０は、大きく分けてシールドケース２０の側壁２２を内側から外側に向けて押さえる内側押部（内側押手段）１１、シールドケース２０の側壁２２を外側から内側に向けて押さえる外側押部（外側押手段）１２及び内側押部１１と外側押部１２とを接続する接続部１３で構成され、これらが一体に成形されている。
【００１６】
内側押部１１は、シールドケース２０取付時に変形するよう、上側に凸状の略逆Ｖ字形状の変形部１１ａが屈曲して形成されている。変形部１１ａのうちシールドケース２０の固定時に外側方向となる一方の端部には、シールドケース２０の側壁２２の内面２２ａと接触する接触部１１ｂが略くの字状に屈曲され形成されている。
また、外側押部１２は、シールドケース２０取付時に変形するよう、上側に凸状の略逆Ｖ字形状の変形部１２ａが屈曲して形成されている。変形部１２ａのうちシールドケース２０固定時に内側方向となる一方の端部にはシールドケース２０の側壁２２の外面２２ｂと接触する接触部１１ｂが略くの字状に屈曲され形成されている。
【００１７】
また、接続部１３は、上面視で略Ｌ字形状に形成されており、接続部１３には、内側押部１１の接触部１１ｂや外側押部１２の接触部１２ｂが形成されていない他方の端部がそれぞれ接続されている。
即ち、シールドクリップ１０は、接続部１３の略Ｌ字形状の一辺にシールドケース２０の一辺側の側壁２２の内面２２ａを外側方向に向け押さえ付け可能なように内側押部１１が形成され、また他辺に内側押部１１が押さえつける側壁２２と隣り合うシールドケース２０の他辺側の側壁２２の外面２２ｂを内側方向に向け押さえ付け可能なように外側押部１２が形成されて構成されている。また、シールドクリップ１０の内側押部１１と外側押部１２とは、内側押部１１の端部１１ｃと外側押部１２の接触部１２ｂとが所定距離の間隙１３ａを有するように形成されている。
【００１８】
そして、このように構成されたシールドクリップ１０は、図５に示すように、シールドケース２０が基板３０上に配設された図示しない電子部品を覆うことが可能なよう、二つのシールドクリップ１０がそれぞれシールドケース２０の二つの角に対応する位置にハンダ付けで固定されている。詳しくは、二つの内の一方のシールドクリップ１０は、シールドケース２０の一の角２１に対応する位置に、内側押部１１の変形部１１ａが変形してシールドケース２０の一辺側の側壁２２の内面２２ａを接触部１１ｂで押さえつけるように、また外側押部１２の変形部１２ａが変形してシールドケース２０の他辺側の側壁２２の外面２２ｂを接触部１２ｂで押さえつけるように基板３０上にハンダ付けされ固定されている。また、二つの内の他方のシールドクリップ１０は、シールドケース２０の一の角２１の対角の他の角２３に対応する位置に、上記一方のシールドクリップ１０と同様に基板３０上にハンダ付けされ固定されている。
【００１９】
次に、このように基板３０上に固定されたシールドクリップ１０の作用及び効果について説明する。図６は、シールドクリップ１０の使用例を示す図である。図７は、図６における断面Ｃ−Ｃを示す図である。図８は、図７における断面Ｄ−Ｄを示す図である。
図６〜８に示すように、シールドケース２０は、それぞれのシールクリップ１０の内側押部１１の端部１１ｃと外側押部１２の接触部１２ｂとの間の間隙１３ａにシールドケース２０の他辺側の側壁２２が収まるよう、基板３０の上方よりシールクリップ１０に挿入される。
【００２０】
これより、シールドケース２０は、シールドクリップ１０の内側押部１１の変形部１１ａが変形し接触部１１ｂによって一辺側の側壁２２の内面２２ａが押さえつけられ、更に外側押部１２の変形部１２ａが変形し接触部１２ｂによって他辺側の側壁２２の外面２２ｂが押さえつけられることによりシールドクリップ１０に保持され、基板３０上に確実に固定される。
【００２１】
このように、本発明の実施形態に係るシールドケース固定具によれば、同一形状の二つのシールドクリップ１０をシールドケース２０の一の角２１と一の角２１の対角の他の角２３とにそれぞれ対応する基板３０上の位置に固定し、シールドケース２０をそれぞれシールドクリップ１０に装着することで基板３０へ固定するようにしている。
従って、それぞれのシールドクリップ１０の基板３０上への固定位置を変更することにより、同一形状の一種類のシールドクリップ１０によって、バリエーションを増加させることなく、異なる複数の板厚のシールドケース２０を保持し、基板３０上に固定することができる。
【符号の説明】
【００２２】
１０  シールドクリップ（シールドケース固定具）
１１  内側押部（内側押手段）
１２  外側押部（外側押手段）
１１ａ，１２ａ  変形部
１２ａ，１２ｂ  接触部
２０  シールドケース
２１  一の角
２２  側壁
２３  他の角
３０  基板
【図１】
2012104741.tif 000003
【図２】
2012104741.tif 000004
【図３】
2012104741.tif 000005
【図４】
2012104741.tif 000006
【図５】
2012104741.tif 000007
【図６】
2012104741.tif 000008
【図７】
2012104741.tif 000009
【図８】
2012104741.tif 000010